(57)【要約】【課題】  普段、会話等が出来難い難聴者の方や寝たきりの方同士が、自由に会話をすることができる器具を提供する。【解決手段】  パイプの一端に送話具、他端に受話具を設け、送話具は取り替え可能としたものである。尚、多人数で会話をする場合は、共鳴箱に送受話具のついたパイプを接続して会話し、寝たきりの方同士の場合は延長パイプを連結して会話をする。【選択図】  図１
2006150023.tif 000002
【特許請求の範囲】
【請求項１】
パイプ（１）の一端に送話具（２）が差し込める差込口（３）を設け、他端に受話具（４）を設けた会話補助具。
【請求項２】
適宜の大きさの共鳴箱（６）の外面に多数の差込孔（７）を設け、この差込孔（７）に、多数のパイプ（１ａ）の一端を接続し、他端には送話具（２ａ）が差し込める差込口（３ａ）及び受話具（４ａ）を設けた請求項１記載の会話補助具。
【発明の詳細な説明】
【技術分野】
【０００１】  この発明は、会話等が出来難い難聴の方や寝たきりの方が、自由に会話ができる器具の開発に関する。
【背景技術】
【０００２】  難聴の方に話しかけるには、両手をメガホン代りにして難聴者の耳元で少し大きな声で喋ったり、厚紙を丸めて筒状にしたもの等を利用する方法等があるが、難聴者同士が会話をする場合は、これらの方法を用い難く、従って難聴者同士が会話をする光景は余り見られていない（大声を出しながらの会話となるので、回りに人がいる場合等は会話を控えているのが現状である）。
【発明の開示】
【発明が解決しようとする課題】
【０００３】  本発明は前記欠点を解消し、健常者と難聴者の会話、難聴者同士の会話、あるいは、難聴者が多人数で会話をすることができる器具を提供しようとするものである。又、長時間会話をしたり、交代で会話をした時等の弊害にも対応できるようにしたものである。
【課題を解決するための手段】
【０００４】  柔軟性のあるパイプの一端に送話具、他端に受話具を設けたものである。健常者と難聴者の場合は一組、難聴者同士の場合は二組用いる。又、難聴者が多人数の場合は、共鳴箱に送受話具の付いたパイプを接続して会話する（送話具は、紙性の材質等でできたものを差し込んで使用するようにしてある）。その他、延長パイプによる会話手段等も考慮したものとなっている。
【発明の効果】
【０００５】  本発明を利用することにより、難聴の方が楽に話を聞き取ることができる。又、難聴者同士が、顔を近づけて大きな声を上げて話す必要が無く、回りの人々に気兼ね無く会話をすることができる。その他には、年を取って耳が遠くなった方が大勢（四〜五人）集まって、テーブル等を囲んで世間話や昔話等をしたり、歌を歌ったりする場合、それぞれの声が良く聞こえるので、楽しく時を過ごすことができる。【０００６】  本発明は少し距離の離れた場所にいる人とも会話できる。例えば、同じ部屋に居ながら足が不自由で移動が困難な方、寝たきり等でその場所から移動できない方等が、そのままの場所で会話をすることも可能である。【０００７】  これらから総合的に判断して、この器具は脳を活性化させ、老化を遅らせることができるのではないかと思われる。又、会話は不可能と思い諦めていた寝たきり同士の方が、会話を楽しむことができる有意義な発明であると思われる。
【発明を実施するための最良の形態】
【０００８】  本発明の構造を図面について説明すると、図１は本発明の斜視図であるが、柔軟性のある合成樹脂等を用いたパイプ（１）の一端に、送話具（２）が差込めるようにした差込口（３）、他端に受話具（４）を設けたものである。パイプ（１）の直径は２センチメートル前後、長さは１メートル前後が適当と思われ、軽くて音が良く通る（反射する）材質等が適当である。尚、パイプ（１）を蛇腹式にすれば、会話をする距離に応じて、短くしたり長くしたりすることができる。【０００９】  図２は、送話具（２）を差込口（３）から外して拡大したものである。紙コップを楕円形にし、口の当たる部分の上下を内側に切込み（息漏れ防止）、底部に孔（５）を設けた構造及び形状とする。尚、口の当たる部分は、強く押し付けても痛くないように丸みをもたせた構造とする。【００１０】  材質を市販の使い捨て紙コップと同様にした理由は、本発明を長時間使用した場合、送話具（２）に唾液が付着する可能性がある。又、大勢の人が交代して会話をする場合、他の人が使用した送話具（２）に口部分を付けて会話をすることに違和感を感じる人がいると思われる。これらの欠点を解消するには、送話者それぞれの送話具を用いるのが良いと思い、紙コップ方式を利用した（重ねて沢山持ち運べる利点もある）。尚、送話具（２）は、大人用子供（小児）用の二種類を用意するのが最善と思われる（子供用は送話具（２）の丈を短くすれば良い）。【００１１】  他端の受話具（４）の材質は、合成樹脂等を利用した漏斗型の形状とする。周縁部の両端にゴムバンド等を設けて頭部で固定すれば、手を離した状態で受話できると思われる。尚、難聴者同士が使用する場合、二組の本器具を逆向きにして会話をするのであるが、途中のパイプ（１）をバンド等で固定すれば一体となるように思われる。
【実施例】
【００１２】  図３は、本発明の他の実施例を示したもので、適宜の形状（４０〜５０センチメートル四方、高さは１０センチメートル位）の共鳴箱（６）の四方外面に、多数の差込孔（７）を設ける。一端に送話具（２ａ）、受話具（４ａ）を設けたパイプ（１ａ）の他端をテーパー状に仕上げ、差込孔（７）に差し込めるようにしてある。【００１３】  共鳴箱（６）も、合成樹脂等の声を良く反射する材質が適当である。この共鳴箱（６）をテーブルの上等に置いて使用する。パイプ（１ａ）の長さは１メートル前後が適当と思われる。差込孔（７）は一面に４個位設けている。中央部の二個を使用している（受話でき易い）が、五人、六人で会話をする場合は、一面に二組差し込めば良い。尚、差込孔（７）には総てに弁を設け、差し込んで使用している時には開き、差し込まれていない時には閉じている構造とする（声漏れ防止）。【００１４】  会話をする場合、一度にみんなが喋った時には聞き取り難いが、ゆっくり話したり、段々と慣れてくれば、健常者が喋るようにスムースに会話ができるようになると思われる。他の利用例として、両端にソケットを設けた延長パイプを、送話具（２ａ）、受話具（４ａ）に設けたパイプ（１ａ）に連結すれば、５メートル、あるいは１０メートル離れた人と会話をすることも可能である。【００１５】  共鳴箱（６）の上面は、開閉できるように蓋（８）を設け、一側面には携帯用の取手（９）が設けてある。このようにすれば、共鳴箱（６）の中に、パイプ（１ａ）、及び、重ねた送話具（２ａ）、受話具（４ａ）等を格納して持ち運ぶことができる。尚、パイプ（１ａ）は、前期同様蛇腹式にすれば小さくなり、差込口（３ａ）、受話具（４ａ）も着脱可能とすれば更に格納し易く、多量の用具を詰め込んで持ち運べると思われる。
【図面の簡単な説明】
【００１６】
【図１】本発明の斜視図である。
【図２】本発明の送話具を拡大した斜視図ある。
【図３】本発明の他の実施例を示す斜視図である。
【符号の説明】
【００１７】１、１ａ  パイプ
２、２ａ  送話具
３、３ａ  差込口
４、４ａ  受話具
５  孔
６  共鳴箱
７  差込孔
８  蓋
９  取手
【図１】
2006150023.tif 000003
【図２】
2006150023.tif 000004
【図３】
2006150023.tif 000005